(57)【要約】【課題】表示部の設置スペースを不要にした洗面化粧台を提供する。【解決手段】洗面化粧台１は、上面に洗面ボウル２を備えた化粧台本体３と、化粧台本体３の上方位置に配置された鏡４と、有機ＥＬ素子からなり鏡４の前面側から目視可能な状態で鏡４に設けられた情報表示用の表示部５と、表示部５の表示を制御する表示制御部８とを備える。【選択図】図１
2008168006.tif 000002
【特許請求の範囲】
【請求項１】
上面に洗面ボウルを備えた洗面台本体と、洗面台本体の上方位置に配置された鏡と、有機ＥＬ素子からなり前記鏡の前面側から目視可能な状態で前記鏡に設けられた情報表示用の表示部と、表示部の表示を制御する表示制御部とを備えたことを特徴とする洗面化粧台。
【請求項２】
現在の時刻を計時する計時部を備え、前記表示制御部が、計時部の計時した現在時刻を前記表示部に表示させることを特徴とする請求項１記載の洗面化粧台。
【請求項３】
前記洗面台本体の前面側の床に配設され、載置された物体の重量を測定する重量測定部を備え、前記表示制御部が、重量測定部の測定結果を前記表示部に表示させることを特徴とする請求項１記載の洗面化粧台。
【請求項４】
前記表示制御部が、室内の気温又は外気温の内少なくとも何れか一方を測定する気温測定部の測定結果を前記表示部に表示させることを特徴とする請求項１記載の洗面化粧台。
【請求項５】
前記表示制御部が、湿度を測定する湿度測定部の測定結果を前記表示部に表示させることを特徴とする請求項１記載の洗面化粧台。
【請求項６】
前記鏡の前方に設けた検知エリアにおいて人の存否を検知する人体検知センサが人の存在を検知すると、予め設定された時間を減算するとともに、人体検知センサが人の存在を検知しなくなると、減算動作がリセットされる減算タイマを備え、前記表示制御部が、減算タイマの計数値を前記表示部に表示させることを特徴とする請求項１記載の洗面化粧台。
【発明の詳細な説明】
【技術分野】
【０００１】
本発明は、洗面化粧台に関するものである。
【背景技術】
【０００２】
従来、台輪部に引き出しを設け、この引き出しに体重計を収納するとともに、前面に鏡を備えたキャビネットの下方に体重計の測定結果を表示するための表示部を配置した洗面化粧台が提供されている（例えば特許文献１参照）
【特許文献１】特開２００６−３２５９４９号公報（段落［００１５］−［００２３］、及び、第１図）
【発明の開示】
【発明が解決しようとする課題】
【０００３】
上述した従来の洗面化粧台では、キャビネットの下側に表示部を配置しているので、表示部の設置スペースを確保する必要があり、洗面台の上面の空間が狭くなるという問題があった。また、表示部がキャビネットの下側に配置されているため、デザイン性が悪くなるという問題もあった。
【０００４】
本発明は上記問題点に鑑みて為されたものであり、その目的とするところは、表示部の設置スペースを不要にした洗面化粧台を提供することにある。
【課題を解決するための手段】
【０００５】
上記目的を達成するために、請求項１の発明は、上面に洗面ボウルを備えた洗面台本体と、洗面台本体の上方位置に配置された鏡と、有機ＥＬ素子からなり、鏡の前面側から目視可能な状態で鏡に設けられた情報表示用の表示部と、表示部の表示を制御する表示制御部とを備えたことを特徴とする。
【０００６】
請求項２の発明は、請求項１の発明において、現在の時刻を計時する計時部を備え、表示制御部が、計時部の計時した現在時刻を表示部に表示させることを特徴とする。
【０００７】
請求項３の発明は、請求項１の発明において、洗面台本体の前面側の床に配設され、載置された物体の重量を測定する重量測定部を備え、表示制御部が、重量測定部の測定結果を表示部に表示させることを特徴とする。
【０００８】
請求項４の発明は、請求項１の発明において、表示制御部が、室内の気温又は外気温の内少なくとも何れか一方を測定する気温測定部の測定結果を表示部に表示させることを特徴とする。
【０００９】
請求項５の発明は、請求項１の発明において、表示制御部が、湿度を測定する湿度測定部の測定結果を表示部に表示させることを特徴とする。
【００１０】
請求項６の発明は、請求項１の発明において、鏡の前方に設けた検知エリアにおいて人の存否を検知する人体検知センサが人の存在を検知すると、予め設定された時間を減算するとともに、人体検知センサが人の存在を検知しなくなると、減算動作がリセットされる減算タイマを備え、表示制御部が、減算タイマの計数値を表示部に表示させることを特徴とする。
【発明の効果】
【００１１】
本発明によれば、洗面化粧台の鏡に有機ＥＬ素子からなる表示部を設けているので、情報表示用の表示部を設置するための設置スペースを確保する必要が無く、洗面化粧台のデザイン性も向上するという効果がある。しかも、鏡に設けた表示部が有機ＥＬ素子で構成されているので、表示部を例えば液晶ディスプレイで構成する場合に比べて、バックライトが不要になるから表示部の薄型化が図れるとともに、視野角が広がるので視認性の向上を図ることができるという効果もある。
【発明を実施するための最良の形態】
【００１２】
以下に本発明の実施の形態を図面に基づいて説明する。
【００１３】
図１は本実施形態の洗面化粧台１の概略構成図であり、洗面化粧台１は、上面に洗面ボウル２を備えた化粧台本体３を備えるとともに、化粧台本体３の上面には洗面ボウル２よりも後側に平板状の鏡４を設置してある。
【００１４】
洗面化粧台１の鏡４の下側部には、有機ＥＬ素子からなる情報表示用の表示部５が一体的に形成されている。表示部５は、図２（ａ）（ｂ）に示すように、例えば厚さが約１．１ｍｍの封止ガラス５ａの前面に、厚さが約０．７ｍｍの透明基板５ｂを積層した構造を有している。透明基板５ｂには複数個の有機ＥＬ素子６が７セグメント表示を行えるように形成されている。図１及び図２（ｂ）では有機ＥＬ素子６からなる７セグメント表示が２桁分しか図示されていないが、実際には時刻表示が可能なように４桁分形成されている。なお、透明基板５ｂには個々の有機ＥＬ素子６に給電するための配線パターン（図示せず）なども形成されている。
【００１５】
また化粧台本体３には、表示部５の表示を制御する表示制御部８と、例えば表示内容の切替などの操作をユーザ自身が行うための操作部９と、現在時刻を計時する計時部１０と、減算タイマ１１とを備えたコントロール部７が収納されており、操作部９は化粧台本体３の外側から操作可能な位置に露出させた状態で設置されている。
【００１６】
また化粧台本体３の前方の床には、ロードセルなどの重量センサを有し、載置された物体の重量を測定するための重量測定部１２が配置されており、重量測定部１２の上側に人が乗ると、この人物の体重が重量測定部１２により測定され、測定結果が表示制御部８に入力されるようになっている。
【００１７】
また表示制御部８には、例えば測温抵抗体からなり、洗面化粧台１の設置された部屋２０の気温（室温）と戸外の気温（外気温）とをそれぞれ測定する気温測定部１３の測定値や、インピーダンス変換型或いは静電容量変換型の湿度センサを具備し、部屋２０内の湿度を測定する湿度測定部１４の測定値や、例えば焦電型の赤外線検出素子からなり洗面化粧台１の前方に設けた検知エリアからの熱線を検出することで人の存否を検出する人体検知センサ１５の検出結果が入力されている。尚、本実施形態では気温測定部１３が室温と外気温の両方を測定しているが、室温又は外気温のうち何れか一方のみを測定して、表示制御部８に出力するようにしても良い。
【００１８】
次に、本実施形態の表示部５による表示動作について説明する。表示部５の表示は表示制御部８によって制御されるのであるが、表示制御部８では、計時部１０の計時した現在時刻を表示部５に表示させるとともに、所定のタイミングで気温測定部１３の測定した部屋２０の室温又は外気温や、湿度測定部１４の測定した部屋２０内の湿度を表示させている。而して、洗面化粧台１の近傍にいるユーザは、鏡４に設けた表示部５の表示から、現在時刻、気温、湿度といった情報を読み取ることができる。したがって、外出前に洗面化粧台１で身だしなみを整えているユーザが、表示部５に表示された気温や湿度などの情報を、外出時に着ていく服装を決定したり、外出時の行動を決定するのに役立てることができ、洗面化粧台１で化粧や洗顔などの作業を行いながら、これらの情報を取得することができる。また、表示部５に現在時刻や気温や湿度などの情報を表示させることによって、洗面化粧台１の周りに時計や温度計や湿度計などを別途用意しておく必要がなくなり、洗面化粧台１の周りのスペースを有効に利用することができる。
【００１９】
なお、表示制御部８が表示部５の表示内容を自動的に切り換える代わりに、ユーザが操作部９を操作する毎に、表示制御部８が、操作部９からの操作入力に応じて表示部５に表示する内容を、例えば現在時刻→室温→外気温→湿度→現在時刻→…の順番でサイクリックに切り換えるようにしても良く、必要な時に必要な情報を取得することができる。
【００２０】
また表示制御部８には重量測定部１２の測定結果が入力されており、重量測定部１２の測定値が所定のしきい値を越えると、表示制御部８は、重量測定部１２の上に人が乗っていると判断して、重量測定部１２の測定結果を表示部５に表示させる。このように、重量測定部１２の上に人が乗ると、重量測定部１２の測定結果が鏡４に設けた表示部５に表示されるので、ユーザが体重を測定するために意図的に体重計に乗らなくても、洗面や化粧などを行うために洗面化粧台１の前方に立つと、洗面化粧台１の前方に配置された重量測定部１２により体重が自動的に測定されて、表示部５に表示されるから、表示部５の表示をもとに体重の測定結果を確認することができる。尚、上記のしきい値は、重量測定部１２の上に人体に比べて十分軽い物体が載置された場合に、その重量が自動的に測定されて表示されることがないように設けられており、例えば１ｋｇ程度の値に設定されている。
【００２１】
また人体検知センサ１５は検知エリア内で人の存在を検知すると、人体検知信号を表示制御部８に出力しており、表示制御部８では、人体検知センサ１５から人体検知信号が入力されると、減算タイマ１１をトリガして、減算タイマ１１により予め設定された一定時間の減算動作を開始させる。また表示制御部８は、減算タイマ１１をトリガした後に、人体検知センサ１５からの人体検知信号が入力されなくなると、減算タイマ１１の減算動作をリセットさせている。減算タイマ１１は上記一定時間の減算動作を開始すると、その計数値を表示制御部８に出力しており、表示制御部８では減算タイマ１１から入力された計数値を表示部５に表示させているので、ユーザは表示部５の表示をもとに検知エリア内に入ってからの経過時間を把握することができる。ここで、上記一定時間を歯磨きや手洗いを行う際に必要な時間（例えば１分）に設定しておけば、ユーザが洗面化粧台１で歯磨きや手洗いを行う際に、表示部５に表示された減算タイマ１１の計数値を、歯磨きや手洗いを行う時間の目安とすることができる。
【００２２】
以上説明したように本実施形態の洗面化粧台１では、化粧台本体３の上側に設置された鏡４に有機ＥＬ素子からなる表示部５を設けているので、情報表示用の表示部５を鏡４と別体として化粧台本体３の上側に配置する場合に比べて、表示部５を設置するための設置スペースを確保する必要が無く、洗面化粧台１のデザイン性も向上するという利点がある。しかも、鏡４に設けた表示部５が有機ＥＬ素子で構成されているので、表示部５を例えば液晶ディスプレイで構成する場合に比べて、バックライトが不要になるから表示部５の薄型化が図れるとともに、視野角が広がるので視認性の向上を図ることができる。また本実施形態では、表示部５に表示する情報として現在時刻、気温、湿度、経過時間などを例に説明を行ったが、表示部５に表示する内容を上記の情報に限定する趣旨のものではないし、表示部５として有機ＥＬ素子からなる７セグメントの表示部を例に説明を行ったが、有機ＥＬを用いたディスプレイ装置を用いても良く、数字以外の絵文字や画像などで情報を表示するようにしても良い。
【図面の簡単な説明】
【００２３】
【図１】本実施形態の洗面化粧台の概略構成図である。
【図２】同上に用いる表示部を示し、（ａ）は正面図、（ｂ）は側面図である。
【符号の説明】
【００２４】
１  洗面化粧台
２  洗面ボウル
３  化粧台本体
４  鏡
５  表示部
８  表示制御部
【図１】
2008168006.tif 000003
【図２】
2008168006.tif 000004